(57)【要約】【課題】電子部品を交換する不正行為を抑制可能な遊技機を提供する。【解決手段】本発明のパチンコ遊技機１０に備えた基板収容ケース６２は、ケース体６６とカバー体８０とを合体してなる。そして、ケース体６６の基板載置部６６Ｓに主制御基板６０を載置し、カバー体８０をケース体６６に合体させると、カバー体８０の基板保護壁８１によって主制御基板６０の電子実装面６０Ｊが覆われて保護されると共に、カバー体８０に備えた基板係止部８３に主制御基板６０が係止する。これにより、ケース体６６及びカバー体８０を分離した際には、主制御基板６０は基板係止部８３の係止によりカバー体８０に保持されかつ基板保護壁８１にて主制御基板６０の電子実装面６０Ｊが覆われた状態が維持される。【選択図】図９
2010094545.tif 000002
【特許請求の範囲】
【請求項１】
遊技に関する制御を行う制御基板を収納可能な、１対のケース構成体を合体してなる基板収容ケースを備えた遊技機において、
前記制御基板には、遊技の制御に使用される電子部品が実装された電子実装面が設けられ、
前記１対のケース構成体のうち一方の前記ケース構成体には、他方の前記ケース構成体との合体前に、前記制御基板を前記電子実装面が開放した状態で載置可能な基板載置部が設けられ、
前記他方の前記ケース構成体には、前記制御基板の前記電子実装面を保護するための基板保護壁と前記制御基板を係止可能な基板係止部とが設けられ、
前記１対のケース構成体の合体の際に、前記基板保護壁により前記制御基板の前記電子実装面を覆うと共に前記基板載置部に載置された前記制御基板が前記基板係止部に係止される一方、
一旦合体した前記１対のケース構成体を分離した際に、前記制御基板は前記基板係止部の係止により前記他方のケース構成体に保持された状態で前記基板載置部から離脱することを特徴とする遊技機。
【請求項２】
前記基板係止部は、前記両ケース構成体の合体方向と略直交する方向に弾性変形可能な可撓梁部材に係止突起を形成してなり、
前記係止突起には、前記両ケース構成体を合体する過程で、前記制御基板の縁部に摺接可能な摺接斜面と、前記両ケース構成体の合体完了時に前記制御基板の縁部に裏面側から係止する係止面とが備えられたことを特徴とする請求項１に記載の遊技機。
【請求項３】
前記両ケース構成体に形成され、前記両ケース構成体が合体したときに重なり合う封止壁と、
重なり合った前記封止壁を貫通して抜け止めされる封止部材とを設け、
少なくとも一方の前記封止壁を破断させることで前記両ケース構成体を分離する構成であり、
前記封止部材を前記可撓梁部材に側方から突き合わせて、前記可撓梁部材の弾性変形を規制したことを特徴とする請求項２に記載の遊技機。
【請求項４】
重なり合った前記封止壁のうち前記可撓梁部材を有しない側の前記ケース構成体の前記封止壁が優先して破断させるための優先破断部を設けたことを特徴とする請求項３に記載の遊技機。
【請求項５】
重なり合った前記封止壁のうち前記可撓梁部材を有する側の前記ケース構成体には前記両ケース構成体が分離した状態で、前記封止壁を前記封止部材と共に前記ケース構成体から切り離し可能とする切断部を設けたことを特徴とする請求項４に記載の遊技機。
【請求項６】
前記基板載置部と前記制御基板の前記電子実装面の裏面とが対向するように前記基板載置部に前記制御基板が載置可能であり、前記制御基板の裏面は、電子部品が実装されていない非電子実装面になっていることを特徴とする請求項１乃至５に記載の遊技機。
【発明の詳細な説明】
【技術分野】
【０００１】
本発明は、制御基板を基板収容ケースに収容して備えた遊技機に関する。
【背景技術】
【０００２】
従来、この種の遊技機としてのパチンコ遊技機は、後面に基板収容ケースを備え、その内部に収容された制御基板にＲＯＭ等の電子部品が実装されていた。また、基板収容ケースは、ケース本体とケース蓋体とを分離可能であった（例えば、特許文献１参照）。
【先行技術文献】
【特許文献】
【０００３】
【特許文献１】特開２００１−２７６３８５号公報（［００３２］、第５図）
【発明の概要】
【発明が解決しようとする課題】
【０００４】
しかしながら、上記した従来のパチンコ遊技機では、ケース蓋体をケース本体から分離すると、制御基板がケース本体に保持された状態でその制御基板におけるＲＯＭ等の実装面が露出する構成になっていたので、例えば、遊技場の営業時間中に、人目を盗んで短時間で一旦ケース本体からケース蓋体を取り外してＲＯＭ等の電子部品を交換し、遊技を頻繁に大当たり状態にする等の不正行為が可能であった。
【０００５】
本発明は、上記事情に鑑みてなされたもので、不正などの目的で基板収容ケース内における電子部品を交換する等の行為を抑制可能な遊技機の提供を目的とする。
【課題を解決するための手段】
【０００６】
上記目的を達成するためになされた請求項１の発明に係る遊技機は、遊技に関する制御を行う制御基板を収納可能な、１対のケース構成体を合体してなる基板収容ケースを備えた遊技機において、制御基板には、遊技の制御に使用される電子部品が実装された電子実装面が設けられ、１対のケース構成体のうち一方のケース構成体には、他方のケース構成体との合体前に、制御基板を電子実装面が開放した状態で載置可能な基板載置部が設けられ、他方のケース構成体には、制御基板の電子実装面を保護するための基板保護壁と制御基板を係止可能な基板係止部とが設けられ、１対のケース構成体の合体の際に、基板保護壁により制御基板の電子実装面を覆うと共に基板載置部に載置された制御基板が基板係止部に係止される一方、一旦合体した１対のケース構成体を分離した際に、制御基板は基板係止部の係止により他方のケース構成体に保持された状態で基板載置部から離脱するところに特徴を有する。
【０００７】
請求項２の発明は、請求項１に記載の遊技機において、基板係止部は、両ケース構成体の合体方向と略直交する方向に弾性変形可能な可撓梁部材に係止突起を形成してなり、係止突起には、両ケース構成体を合体する過程で、制御基板の縁部に摺接可能な摺接斜面と、両ケース構成体の合体完了時に制御基板の縁部に裏面側から係止する係止面とが備えられたところに特徴を有する。
【０００８】
請求項３の発明は、請求項２に記載の遊技機において、両ケース構成体に形成され、両ケース構成体が合体したときに重なり合う封止壁と、重なり合った封止壁を貫通して抜け止めされる封止部材とを設け、少なくとも一方の封止壁を破断させることで両ケース構成体を分離する構成であり、封止部材を可撓梁部材に側方から突き合わせて、可撓梁部材の弾性変形を規制したところに特徴を有する。
【０００９】
請求項４の発明は、請求項３に記載の遊技機において、重なり合った封止壁のうち可撓梁部材を有しない側のケース構成体の封止壁が優先して破断させるための優先破断部を設けたところに特徴を有する。
【００１０】
請求項５の発明は、請求項４に記載の遊技機において、重なり合った封止壁のうち可撓梁部材を有する側のケース構成体には両ケース構成体が分離した状態で、封止壁を封止部材と共にケース構成体から切り離し可能とする切断部を設けたところに特徴を有する。
【００１１】
請求項６の発明は、請求項１乃至５に記載の遊技機において、基板載置部と制御基板の電子実装面の裏面とが対向するように基板載置部に制御基板が載置可能であり、制御基板の裏面は、電子部品が実装されていない非電子実装面になっているところに特徴を有する。
【発明の効果】
【００１２】
［請求項１の発明］
請求項１の遊技機に備えた基板収容ケースは、１対のケース構成体を合体してなる。そして、基板収容ケースに制御基板を収納するには、分離された状態にある１対のケース構成体のうち一方のケース構成体に備えた基板載置部に制御基板を載置する。このとき、制御基板のうち遊技の制御に使用される電子部品が実装された電子実装面を開放した状態にして制御基板を基板載置部に載置する。そして、他方のケース構成体を一方のケース構成体に合体させる。すると、他方のケース構成体に備えた基板保護壁によって制御基板の電子実装面が覆われて保護されると共に、他方のケース構成体に備えた基板係止部に制御基板が係止する。これにより、両ケース構成体を分離した際には、制御基板は基板係止部の係止により他方のケース構成体に保持されかつ基板保護壁にて制御基板の電子実装面が覆われた状態が維持される。従って、電子実装面上の電子部品を交換するためには、両ケース構成体を分離した後で、さらに、制御基板と基板係止部との係止を解除する必要があり、電子実装面上の電子部品の交換に手間等を要する。これにより、不正などの目的で基板収容ケース内における制御基板に実装された電子部品を交換する等の行為を抑制することができる。
【００１３】
［請求項２の発明］
請求項２の構成では、基板係止部が、両ケース構成体の合体方向と略直交する方向に弾性変形可能な可撓梁部材に係止突起を形成してなる。そして、両ケース構成体を合体する過程で、係止突起に備えた摺接斜面が制御基板の縁部に摺接して可撓梁部材が撓み、両ケース構成体の合体完了時に係止突起が制御基板の縁部を乗り越えて可撓梁部材が復元し、係止突起の係止面が制御基板の縁部に裏面側から係止する。このように、本発明によれば、両ケース構成体を合体させる作業と同時に基板係止部に制御基板を係止することができ、作業性がよい。
【００１４】
［請求項３の発明］
請求項３の構成によれば、両ケース構成体の封止壁が重なり合った状態で、それら封止壁を封止部材が貫通して抜け止めされている。そして、両ケース構成体を分離するときに、少なくとも一方の封止壁を破断するので、その破断に基づいて両ケース構成体が分離されたことを発見することができる。そして、封止のために用いた前記封止部材を可撓梁部材に側方から突き合わせたことで、その可撓梁部材の弾性変形が規制され、基板係止部と制御基板との係止を強化することができる。
【００１５】
［請求項４の発明］
請求項４の構成によれば、一方の封止壁を破断して両ケース構成体を分離しても、封止部材を可撓梁部材に側方から突き合わせた状態が維持され、基板係止部と制御基板との係止が容易には解除されなくなる。これにより、例えば、電子実装面上の電子部品を交換するために、手間等を要し、不正などの目的で制御基板に実装された電子部品を交換する等の行為を抑制することができる。
【００１６】
［請求項５の発明］
請求項５の構成によれば、両ケース構成体が分離した状態で、切断部において封止壁を封止部材と共にケース構成体から切り離せば、可撓梁部材の弾性変形が可能になり、ケース構成体から制御基板を取り外すことができる。これにより、例えば、正規の作業で制御基板又はその制御基板に実装された電子部品を交換する等の必要が発生した場合にも対応することができる。更に、不正などを目的として切断部を切断して、制御基板をケース構成体から取り外し、制御基板に実装された電子部品を交換するなどの行為を行ったとしても、切断部が切断されていることを発見することが可能であり、結果、不正されたか否かを確認することが可能である。
【００１７】
［請求項６の発明］
請求項６の構成によれば、両ケース構成体が分離した状態で露出する制御基板における電子実装面の裏面は、電子部品が実装されていない非電子実装面になっているので、不正な電子部品の交換等を抑制することができる。
【図面の簡単な説明】
【００１８】
【図１】本発明の第１実施形態に係るパチンコ遊技機の正面図
【図２】パチンコ遊技機の後面図
【図３】主制御装置の斜視図
【図４】主制御装置の分解斜視図
【図５】主制御装置の一部の分解斜視図
【図６】主制御装置の平面図
【図７】主制御装置の側面図
【図８】主制御装置の側断面図
【図９】主制御装置の側断面図
【図１０】第２実施形態の主制御装置の斜視図
【図１１】主制御装置の分解斜視図
【図１２】主制御装置の一部の分解斜視図
【図１３】主制御装置の平面図
【図１４】主制御装置の側面図
【図１５】主制御装置の側断面図
【図１６】主制御装置の側断面図
【図１７】主制御装置の側断面図
【発明を実施するための形態】
【００１９】
［第１実施形態］
以下、本発明を適用したパチンコ遊技機１０に係る第１実施形態を、図１〜図９に基づいて説明する。図１に示すように、本実施形態のパチンコ遊技機１０の遊技盤１１には、ガイドレール１２で囲まれたほぼ円形の遊技領域Ｒ１が形成され、その遊技領域Ｒ１の中央部に表示装置１３が備えられている。遊技領域Ｒ１のうち表示装置１３より下方には、始動入賞口１４、大入賞口１５及び外れ球受け入れ口１６が、上から順に間隔を開けて並べて設けられている。また、遊技領域Ｒ１のうち表示装置１３の両側には、ランプ風車１７、始動ゲート１８、特定入賞口１８Ｔ、風車１９、一般入賞口２０，２１がそれぞれ設けられ、遊技領域Ｒ１全体に亘って、図示しない複数の障害釘が起立している。さらに、ガイドレール１２に沿った両側端部には、サイドランプ２２，２２が設けられている。
【００２０】
また、遊技盤１１の前面側は前面枠１０Ｚにて覆われ、その前面枠１０Ｚに形成されたガラス窓１０Ｗを通して上記遊技領域Ｒ１が前方に臨んでいる。ガラス窓１０Ｗの上方には、装飾ランプ３５が設けられ、ガラス窓１０Ｗより下方には、上皿２７Ａ及び下皿２７Ｂが上下２段にして設けられている。そして、上皿２７Ａに備えたボタン２９を押すと上皿２７Ａに収容されている遊技球が下皿２７Ｂへと移動する。また、上皿２７Ａの両側には、スピーカ５６Ｓが備えられ、下皿２７Ｂの右端部には操作ノブ２８が設けられている。そして、操作ノブ２８を回動操作すると、上皿２７Ａに収容された遊技球が遊技領域Ｒ１に向けて弾き出される。
【００２１】
次に所要の各部位についてさらに詳説する。始動ゲート１８は、遊技球が潜って通過可能な門形構造をなし、通過した遊技球は、その始動ゲート１８に内蔵したゲートスイッチによって検出される。そして、その検出信号に基づいて、後述する普通図柄表示領域２４の図柄が変動表示される。
【００２２】
特定入賞口１８Ｔも始動ゲート１８と同様に、遊技球が通過可能な門形構造をなしており、特定入賞口１８Ｔを通過した遊技球は、特定入賞口１８Ｔに内蔵した特定入賞口スイッチによって検出され、検出信号に基づいて、所定数（例えば４個）の賞球が上皿２７Ａに払い出される。
【００２３】
一般入賞口２０，２１は、所謂、ポケット構造をなし、遊技球が丁度１つ入球可能な大きさで上方に開口している。そして、各一般入賞口２０，２１に入った遊技球は、遊技板１１に設けた図示しない貫通孔を通って、遊技板１１の裏側に回収される。また、これら各一般入賞口２０，２１の内部には、遊技球の入賞を検出するための一般入賞口スイッチが備えられ、それら各一般入賞口スイッチＳＷ４が遊技球の１球の入賞を検出する度に、所定数（例えば４個）の賞球が上皿２７Ａに払い出される。
【００２４】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、前記ゲートスイッチへの遊技球の通過を起因に遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００２５】
始動入賞口１４に遊技球が入賞すると、始動入賞口１４内に設けた始動口センサが遊技球を検出し、その検出信号に基づいて表示装置１３が後述するように図柄を変動表示する。なお、表示装置１３が図柄を変動表示している間に、始動入賞口１４に入賞した入賞球は、４個まで保留記憶される。
【００２６】
大入賞口１５は、横長に形成されて、常には、可動扉１５Ｔにて閉塞されている。そして、後述する所定条件の成立によって、パチンコ遊技機１０が「大当たり状態」になると、遊技盤１１の裏に設けた駆動装置（例えば、ソレノイド）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したか、の何れかの条件が先に満たされた場合に終了する。
【００２７】
大入賞口１５の内部には、継続入賞口と計数入賞口とが設けられており、これら継続入賞口及び計数入賞口が開放される。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた特定領域センサが遊技球の入賞を検出すると継続権利が発生して、前述した終了条件（可動扉１５Ｔの開放時間が３０秒に達したか、又は、大入賞口１５に遊技球が１０個入賞したか）を満たしてラウンドが終了した後で、連続して次のラウンドが実行される。また、計数入賞口内に設けたカウントセンサが遊技球の入賞を検出すると、前記継続入賞口への入賞球と合わせて、大入賞口１５への入賞球がカウントされ、これらが前記したように計１０個に達したか否かがチェックされる。
【００２８】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、液晶表示部３４となっており、遊技者は、表示枠体２３を通して液晶表示部３４に表示された画像を見ることができる。
【００２９】
液晶表示部３４には、図１に示すように、通常は、３つの左、中、右の特別図柄１３Ａ，１３Ｂ，１３Ｃが横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、液晶表示部３４に確定表示されている。そして、始動入賞口１４に遊技球が入賞したときに当否判定し、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００３０】
液晶表示部３４のうち、特別図柄１３Ａ，１３Ｂ，１３Ｃの表示領域の左下隅には、普通図柄表示領域２４が設けられている。この普通図柄表示領域２４は、始動ゲート１８内に設けたゲートスイッチが遊技球の通過を検出したときに当否判定して、例えば、「０」〜「９」までの数字を所定期間に亘って変動表示した後、所定の数字を確定表示する。そして、確定表示された数字が、例えば、奇数の場合に、始動入賞口１４に設けた可動翼片１４Ｃ，１４Ｃが所定期間（例えば、０．４秒）に亘って横に倒される。なお、普通図柄表示領域２４で表示する図柄は、数字に限るものではなく、アルファベットや記号等でもよい。
【００３１】
図２に示すように、パチンコ遊技機１０の後面には、主制御装置５０、ランプ制御装置５１、音声制御装置５２、表示制御装置５７、発射制御装置５５、払出制御装置５９が設けられている。そして、主制御装置５０が、遊技の当否判定を行うと共に、パチンコ遊技機１０全体を統括的に制御し、その主制御装置５０から制御信号を受けて、ランプ制御装置５１が、サイドランプ２２，２２や装飾ランプ３５、ＬＥＤ等の発光を制御し、音声制御装置５２が、スピーカ５６Ｓから出力するＢＧＭや演出時の音声データを制御し、表示制御装置５７が、液晶表示部３４に表示する遊技画像を制御している。また、払出制御装置５９は、各入賞口１４，１５，１８Ｔ，２０，２１への遊技球の入賞に基づいた主制御装置５０からの信号や、プリペイドカードユニット１５０からの信号に基づいて、賞球払出装置及び球貸し装置を駆動して遊技球を上皿２７Ａに払い出し、発射制御装置５５は、操作ノブ２８の操作量に応じて図示しない発射モータを駆動制御している。
【００３２】
また、上記した各御装置５０〜５２，５５，５７，５９は、制御基板を透明な樹脂製の基板収容ケースに収容したユニット構造をなしている。そして、パチンコ遊技機１０の後面中央にランプ制御装置５１及び音声制御装置５２が横並びに配置されている。それらランプ制御装置５１及び音声制御装置５２より下方には、払出制御装置５９が電源装置５８と横並びにして配置され、その電源装置５８の下方の発射制御装置５５が配置されている。また、ランプ制御装置５１及び音声制御装置５２より上方に、表示制御装置５７が配置され、その表示制御装置５７を遊技盤１１との間で挟むように主制御装置５０が取り付けられている。そして、パチンコ遊技機１０の後面に、前面開放の箱形カバー１０Ｃを取り付けられ、その内部にランプ制御装置５１、音声制御装置５２、表示制御装置５７、主制御装置５０が収容されている。なお、箱形カバー１０Ｃも、各御装置５０〜５２，５５，５７，５９の基板収容ケースと同様に透明な樹脂で構成されており、パチンコ遊技機１０の後面側から各御装置５０〜５２，５５，５７，５９の内部を視認することができる。
【００３３】
各御装置５０〜５２，５５，５７，５９のうち主制御装置５０に備えた基板収容ケース６２に本発明に係る「基板収容ケース」の構造が適用されている。図３には、主制御装置５０の全体が示され、図４には、主制御装置５０を構成部品に分解した状態が示されている。
【００３４】
図４に示すように、主制御装置５０が有する制御基板６０（以下、「主制御基板６０」という）は、例えば横長の長方形状になし、その四隅には円形の基板貫通孔６０Ａが貫通形成されている。また、図４において上方を向いた主制御基板６０の表面は本発明に係る電子実装面６０Ｊになっており、その電子実装面６０Ｊには、ＣＰＵとＲＡＭ及びＲＯＭを合わせてパッケージしてなるワンチップマイコン６１Ａ、その他のＩＣチップ６１Ｂ、コンデンサ６１Ｃ等の電子部品が実装されると共に、他の制御基板との間でハーネスを接続するためのケーブルコネクタ６１Ｄも実装されている。なお、主制御基板６０のうち図４における下方を向いた主制御基板６０の裏面は本発明に係る非電子実装面６０Ｈになっており、その非電子実装面６０Ｈには、電子部品は実装されていない。
【００３５】
ワンチップマイコン６１Ａは、ソケット６１Ｓを介して電子実装面６０Ｊに実装されている。即ち、ソケット６１Ｓが電子実装面６０Ｊに半田付けされ、そのソケット６１Ｓにワンチップマイコン６１Ａが着脱可能に取り付けられている。これにより、複数種類のパチンコ遊技機１０の間で主制御基板６０の部品を共通化してワンチップマイコン６１Ａのみを変更することができると共に、不具合発生時やバージョンアップ時にワンチップマイコン６１Ａを容易に交換することができるようになっている。
【００３６】
また、パチンコ遊技機１０の電源を投入すると、ワンチップマイコン６１ＡのＣＰＵは、ＲＯＭに記憶された所定の制御プログラムを実行して遊技の当否判定を行っている。具体的には、パチンコ遊技機１０の電源を投入すると、ＣＰＵが、常時、乱数を生成しており、始動入賞口１４に遊技球が入球したタイミングで生成された乱数が、予めＲＯＭに記憶された複数個の「当たり数値」の何れかと一致した場合に遊技を大当たり状態にする。従って、ワンチップマイコン６１Ａを交換し、そのワンチップマイコン６１ＡのＲＯＭに記憶された「当たり数値」の個数を不正に増やせば、大当たり状態を頻発することになる。そこで、本実施形態では、前述の如く主制御装置５０の基板収容ケース６２に本発明に係る「基板収容ケース」の構造が適用されている。
【００３７】
基板収容ケース６２は、本発明に係る「１対のケース構成体」に相当するケース体６６とカバー体８０とからなる。ケース体６６は、略長方形の底壁６７の外縁全体から側壁６８を起立した構造になっている。
【００３８】
図４に示すように、ケース体６６のうち縦方向（ケース体６６の平面形状における短手方向）で対向した１対の側壁６８，６８の両端部には、係止爪７０がそれぞれ形成されている。各係止爪７０は、図５に示すように、側壁６８に互いに平行な１対のスリット７０Ｓ，７０Ｓを形成し、それらスリット７０Ｓ，７０Ｓの間に設けられた片持梁片７０Ｈの先端寄り位置の内面に、係止突部７０Ａを突出形成してなる。なお、片持梁片７０Ｈは、側壁６８の全体より図５の上方に突出している。係止突部７０Ａは、片持梁片７０Ｈの先端側に傾斜面を備えた矢尻形状になっている。
【００３９】
ケース体６６のうち側壁６８に囲まれた部分は、本発明に係る基板載置部６６Ｓになっている。基板載置部６６Ｓのうち対角関係に位置した１対の角部には、１対の位置決支柱６９，６９が設けられている。位置決支柱６９は、図５に示すように、底壁６７から起立した円柱体を先端寄り位置で段付き状に縮径し、先端に段差面６９Ｂと小径部６９Ａを備えた構造になっている。また、側壁６８の縁部には、図示しない複数の基板支持支柱が設けられ、それら基板支持支柱の先端面は、位置決支柱６９の段差面６９Ｂと面一になっている。そして、複数の基板支持支柱を主制御基板６０の縁部に突き当て、位置決支柱６９の小径部６９Ａを主制御基板６０の基板貫通孔６０Ａに凹凸嵌合して主制御基板６０が基板載置部６６Ｓに載置される。
【００４０】
主制御基板６０を側壁６８に載置した状態で、ケース体６６おける横方向（ケース体６６の平面形状における長手方向）で対向した１対の側壁６８，６８の内面と主制御基板６０の外縁部との間に挟まれた部分には、本発明に係る封止壁６６Ｆ，６６Ｆがそれぞれ設けられている。各封止壁６６Ｆは、底壁６７から起立して互いに隣接した１対の対向起立壁７１，７２とからなる。一方の対向起立壁７１は、底壁６７の縦方向における中央部に配置されて縦方向に延び、側壁６８の内面の一部に対向している。また、その対向起立壁７１全体は、側壁６８より高くなっており、対向起立壁７１の両端部に側壁６８より低い封止補助壁７１Ｈ，７１Ｈが一体形成されている。そして、対向起立壁７１の基端寄り位置には、複数（例えば、４つ）の封止ピン貫通孔７１Ａが横並びに形成されている。他方の対向起立壁７２（以下、適宜、「後側の対向起立壁７２」という）は、一方の対向起立壁７１（以下、適宜、「前側の対向起立壁７１」という）より僅か短い長さをなして底壁６７の縦方向に延びかつ前側の封止補助壁７１Ｈと略同一の高さになっている。また、後側の対向起立壁７２には、前側の対向起立壁７１の各封止ピン貫通孔７１Ａと同軸上にそれぞれ封止ピン貫通孔７２Ａが貫通形成されている（図４における右側の封止壁６６Ｆ参照）。
【００４１】
後側の対向起立壁７２のうち前側の対向起立壁７１との対向した前面は、封止補助壁７１Ｈの後面と面一になっており、前側の対向起立壁７１は、封止補助壁７１Ｈ，７１Ｈに対して後側の対向起立壁７２から離れる側に僅かにずれている（図４における右側の封止壁６６Ｆ参照）。また、図示しないが、後側の対向起立壁７２の前面には、封止ピン貫通孔７２Ａの開口縁を含んだ部分に上下に延びた前面溝が陥没形成されている。さらに、封止補助壁７１Ｈの後面には、係止凹部７１Ｂが陥没形成されている。そして、両対向起立壁７１，７２の間に板金製の封止プレート６３が挟持されている。封止プレート６３は、封止補助壁７１Ｈ，７１Ｈの一端から他端に亘った長さの帯板状をなしている。封止プレート６３のうち前側の対向起立壁７１に対応した中間部の両側縁は、その対向起立壁７１に向けて直角曲げされて１対の補強リブ６３Ｂ，６３Ｂになっている。封止プレート６３の両端部には、板金の一部を突片状に切り離して位置決係止片６３Ａ，６３Ａが形成されて、それらを封止プレート６３の幅方向に位置決係止片６３Ａ，６３Ａを斜めに突出させて封止補助壁７１Ｈの係止凹部７１Ｂに係止することで、封止プレート６３が対向起立壁７１，７２の間に封止壁６６Ｆに抜け止めされると共に、封止プレート６３が対向起立壁７１，７２に位置決めされている。そして、封止プレート６３が対向起立壁７１，７２の間に位置決めされた状態で封止ピン貫通孔７１Ａ及び封止ピン貫通孔７２Ａと対向した位置には、ピン係止孔６３Ｃが形成されている。ピン係止孔６３Ｃは、封止プレート６３を構成する板金に略十字形の貫通孔を形成することで、その略十字形の貫通孔の周りに４つの係止突片を設けた構造になっている。そして、それら４つの係止突片は、後側の対向起立壁７２の前面に備えた前記前面溝に収まっている。
【００４２】
なお、側壁６８のうち対向起立壁７１，７２に対向した部分は、部分的に外側にオフセットしている。そして、対向起立壁７１の各封止ピン貫通孔７１Ａに対応した部分を、Ｕ字形に切除してピン組付孔６８Ｕが形成されている。
【００４３】
一方、カバー体８０は、図４に示すように、底壁６７に対向した基板保護壁８１の外縁全体から側壁８２が底壁６７に向かって起立してなり、カバー体８０全体がケース体６６側に開放したケース構造になっている。
【００４４】
基板保護壁８１は、平面形状が底壁６７に対応した略長方形をなし（図６参照）、縦方向の両端部に向かって段付き状に徐々に底壁６７に接近するように屈曲している。そして、基板保護壁８１には、縦方向の両端縁に沿って複数のハーネス接続孔８２Ａが形成され、これらハーネス接続孔８２Ａを通して図示しないハーネスの端末に備えたコネクタが、主制御基板６０のケーブルコネクタ６１Ｄに接続される。また、基板保護壁８１の外面には、ラベルシールを貼るための凹部８１Ｍ及びＬ字形突条８１Ｌが形成されている。
【００４５】
カバー体８０は、その側壁８２をケース体６６における側壁６８の内側に嵌合して合体される。そして、カバー体８０の側壁８２のうち合体状態でケース体６６の封止壁６６Ｆと対向する部分が封止壁８０Ｆになっている。図５に示すように、封止壁８０Ｆは、側壁８２の先端縁に沿って複数（例えば、４つ）に分離されている。詳細には、側壁８２の先端縁のうち封止壁６６Ｆの対向起立壁７１と対向した部分の外面には、四角形の角形突部８５を複数（例えば、４つ）、横並びに形成されている。そして、各角形突部８５の両側に１対のスリット８５Ｓ，８５Ｓを形成して角形突部８５の両側部を側壁８２及び隣の角形突部８５から切り離すと共に、それらスリット８５Ｓ，８５Ｓを、図５において各角形突部８５の上方部分で互いに接近させることで、側壁８２の一部を破断可能なくびれ形状にして切断部８５Ｔが形成されている。そして、この角形突部８５と切断部８５Ｔとから封止壁８０Ｆが構成され、その封止壁８０Ｆが上記したスリット８５Ｓによって複数に分離されている。なお、各スリット８５Ｓのうち上端部を除いた部分は隣り合った角形突部８５，８５の間で兼用されている。
【００４６】
上記した複数の角形突部８５は、それぞれ対向起立壁７１の封止ピン貫通孔７１Ａに対応して配置されており、その角形突部８５には封止ピン貫通孔７１Ａと同軸上に封止ピン貫通孔８５Ａが貫通成形されている。その封止ピン貫通孔８５Ａの内径は、図８に示すように、軸方向の途中部分で段付き状に縮径されて、対向起立壁７１側の内径が小さくなっている。また、封止ピン貫通孔８５Ａには、封止栓６４又は封止ピン６５（本発明に係る「封止部材」に相当する）が挿入可能となっている。
【００４７】
封止ピン６５は、基端部にヘッド部６５Ｈを備え、先端寄り位置に係止溝６５Ｍを有した構造になっている。そして、封止ピン６５は先端側から封止ピン貫通孔８５Ａに挿入され、ヘッド部６５Ｈが封止ピン貫通孔８５Ａ内の段差面に係止する。封止栓６４は、封止ピン６５のヘッド部６５Ｈと略同一径の円板の中心から突起を突出した構造になっている。そして、封止栓６４は、封止ピン貫通孔８５Ａに封止ピン６５の代わりに封止ピン貫通孔８５Ａ内に装着されて封止ピン貫通孔８５Ａを塞ぐ。
【００４８】
なお、封止壁８０Ｆ全体の両側には、側壁８２の外面から保護壁８４，８４が突出形成されている。保護壁８４は、角形突部８５と略同一の突出量で側壁８２から突出している。
【００４９】
さて、カバー体８０には、本発明に係る基板係止部８３が基板保護壁８１の内面に複数備えられている。詳細には、図６に示すように、基板係止部８３は、基板保護壁８１の内面のうち横方向の両端部において、各封止壁８０Ｆを間に挟んだ２位置にそれぞれ配置され、カバー体８０全体で計４つ設けられている。各基板係止部８３は、図８に示すように、基板保護壁８１の内面から底壁６７に向かって延びた可撓梁部材８３Ｋの先端部分に係止突起８３Ｃと補助係止突起８３Ｄを備えている。係止突起８３Ｃは補助係止突起８３Ｄよりも可撓梁部材８３Ｋの先端に位置して、基板係止部８３のうちケース体６６の底壁６７を向いた側には、その底壁６７と基板保護壁８１との対向方向に対して傾斜した摺接斜面８３Ａが備えられ、底壁６７と反対側を向いた側には、基板保護壁８１と底壁６７との対向方向に対して直交した係止面８３Ｂが備えられている。一方、補助係止突起８３Ｄは、可撓梁部材８３Ｋにおいて係止面８３Ｂから主制御基板６０と略同一の間隔を開けた位置に設けられており、係止突起８３Ｃの係止面８３Ｂと対向する補助係止面８３Ｅを有している。
【００５０】
また、図７に示すように、カバー体８０の縦方向（図７の左右方向）に並んだ１対の基板係止部８３，８３の間では基板保護壁８１のうち両基板係止部８３，８３を配置した部位の高低差によって可撓梁部材８３Ｋ，８３Ｋの長さが異なっているが、それら基板係止部８３，８３の可撓梁部材８３Ｋ，８３Ｋの先端位置は同じになっている。
【００５１】
本実施形態のパチンコ遊技機１０に係る構成に関する説明は以上である。次に、本実施形態のパチンコ遊技機１０の作用効果について説明する。パチンコ遊技機１０の製造工程において、主制御基板６０を基板収容ケース６２に収容して主制御装置５０を完成させるためには、以下のようにすればよい。即ち、ケース体６６とカバー体８０とを分離し、ケース体６６を基板載置部６６Ｓを上方に向けた状態にする。
【００５２】
そして、図８に示すように、ワンチップマイコン６１Ａ等の電子部品を実装した主制御基板６０を、その電子実装面６０Ｊを上に向けた状態にして基板載置部６６Ｓに載置する。すると、主制御基板６０における１対の基板貫通孔６０Ａ，６０Ａに位置決支柱６９の小径部６９Ａが凹凸係合し、主制御基板６０が、底壁６７と平行な面内で２次元的に位置決めされる。このとき、位置決支柱６９の段差面６９Ｂが主制御基板６０における基板貫通孔６０Ａの開口縁に当接し、図示しない基板支持支柱の上端面が主制御基板６０の非電子実装面６０Ｈにおける外縁部に当接して、主制御基板６０が底壁６７から浮いた状態に保持される。なお、この時点で、例えば、量産時に電子実装面６０Ｊに電子部品を実装することが可能である。
【００５３】
この状態でカバー体８０をケース体６６に合体させる。すると、その合体の過程で、基板係止部８３の係止突起８３Ｃにおける摺接斜面８３Ａが主制御基板６０の縁部に摺接して基板係止部８３の可撓梁部材８３Ｋが撓む。また、このとき、カバー体８０における側壁８２の下縁部とケース体６６における係止爪７０の係止突部７０Ａも同様に摺接し、係止爪７０の片持梁片７０Ｈが外側に撓む。
【００５４】
そして、カバー体８０をケース体６６側に更に押し付け、合体が完了すると、図９（Ａ）に示すように、係止突起８３Ｃが主制御基板６０の縁部を乗り越えて可撓梁部材８３Ｋが復元し、係止突起８３Ｃの係止面８３Ｂと補助係止突起８３Ｄの係止面８３Ｅとで主制御基板６０の縁部が挟まれる。これにより、カバー体８０側に主制御基板６０が保持された状態になると共に、主制御基板６０の電子実装面６０Ｊがカバー体８０の基板保護壁８１によって覆われる。また、このとき、係止爪７０の係止突部７０Ａもカバー体８０の側壁８２を乗り越えて片持梁片７０Ｈが復元し、係止突部７０Ａがカバー体８０の外縁部に係止する。これにより、ケース体６６とカバー体８０とが合体した状態に保持される。このように、本実施形態のパチンコ遊技機１０によれば、ケース体６６及びカバー体８０を合体させる作業と同時に基板係止部８３に主制御基板６０を係止することができ、作業性に優れる。なお、補助係止突起８３Ｄを可撓梁部材８３Ｋに設けているため、例えば、基板保護壁８１を下側などに配置した場合においても、主制御基板６０が基板保護壁８１側に向けて落ちる等の虞を低減することができる。
【００５５】
また、ケース体６６とカバー体８０とが合体すると、ケース体６６の封止壁６６Ｆとカバー体８０の封止壁８０Ｆとが重なり合い、封止壁８０Ｆの各封止ピン貫通孔８５Ａ、封止壁６６Ｆの各封止ピン貫通孔７１Ａ，７２Ａ、封止プレート６３の各ピン係止孔６３Ｃが同一軸線上に並ぶ。この状態で、主制御基板６０の左右の両端部において、複数の封止ピン貫通孔８５Ａのなかから１つずつの封止ピン貫通孔８５Ａを選び、それに封止ピン６５を押し込む。すると、封止ピン６５が封止プレート６３におけるピン係止孔６３Ｃ周りの複数の係止突片（図示せず）を押し広げて貫通し、それら係止突片が封止ピン６５の係止溝６５Ｍに係止する。これにより、封止ピン６５がケース体６６の封止壁６６Ｆとカバー体８０の封止壁８０Ｆとを共に貫通した状態に保持される。また、封止ピン６５を挿入しない他の封止ピン貫通孔８５Ａには、封止栓６４（図５参照）を装着しておくことが好ましい。以上により、主制御装置５０が完成する。そして、この主制御装置５０は、上述の如く、パチンコ遊技機１０の後面に組み付けられる。そして、パチンコ遊技機１０の電源を投入した際には、ワンチップマイコン６１Ａによってパチンコ遊技機１０の遊技が統括的に制御される。
【００５６】
さて、パチンコ遊技機１０が完成すると、パチンコ遊技機１０の製造メーカー及びユーザー以外の外部機関によってパチンコ遊技機１０が所定の基準を満たしているか否かのサンプル検査が行われる。このとき、主制御装置５０のワンチップマイコン６１Ａも検査される。そこで、ワンチップマイコン６１Ａを取り出すには、図９（Ｂ）に示すように、封止壁８０Ｆのうち封止ピン６５が挿入された封止ピン貫通孔８５Ａに対応した切断部８５Ｔを破断する。そのためには、例えば、マイナスドライバー等を突き当て、その切断部８５Ｔを押圧すればよい。そして、複数の係止爪７０を片持梁片７０Ｈを外側に撓ませて、係止爪７０とカバー体８０との係止を解除し、カバー体８０をケース体６６から分離する。すると、主制御基板６０はが基板係止部８３との係止によりカバー体８０に保持され、かつ主制御基板６０においてケース体６６の基板載置部６６Ｓに載置される力よりも基板係止部８３により係止されて保持される力の方が大きいためケース体６６の基板載置部６６Ｓから離脱し、主制御基板６０の電子実装面６０Ｊがカバー体８０の基板保護壁８１によって覆われた状態が維持される。また、主制御基板６０はカバー体８０の側壁８２によって全側方を覆われているので、主制御基板６０を側方にずらしてカバー体８０から分離することもできない。
【００５７】
そこで、主制御基板６０をカバー体８０から分離するためには、基板係止部８３の可撓梁部材８３Ｋを撓ませて係止突起８３Ｃと主制御基板６０との係止を解除するしかない。そして、基板係止部８３の可撓梁部材８３Ｋを撓ませて主制御基板６０をカバー体８０から分離する。そして、ワンチップマイコン６１Ａをソケット６１Ｓから取り外し、所定の検査を終了したら、上記した組み付け手順と同様の手順でもとに戻す。また、封止ピン６５を押し込む際には、主制御基板６０の左右の両端部に残された複数の封止ピン貫通孔８５Ａのなかから１つずつの封止ピン貫通孔８５Ａを選び、それらから封止栓６４を外して、封止ピン６５を押し込めばよい。
【００５８】
上述したように、本実施形態のパチンコ遊技機１０によれば、ケース体６６及びカバー体８０を分離した際には、主制御基板６０は基板係止部８３の係止によりカバー体８０に保持されかつ基板保護壁８１にて主制御基板６０の電子実装面６０Ｊが覆われた状態が維持される。従って、電子実装面６０Ｊ上のワンチップマイコン６１Ａを交換するためには、ケース体６６及びカバー体８０を分離した後で、さらに、主制御基板６０と基板係止部８３との係止を解除する必要があり、電子実装面６０Ｊ上のワンチップマイコン６１Ａの交換に手間と時間を要する。従って、ワンチップマイコン６１Ａを不正なデータを書き込んだものに交換する所謂ゴト行為にも手間と時間を要することになり、そのような不正行為を抑制することができる。また、本実施形態では、ケース体６６及びカバー体８０が分離した状態で露出する主制御基板６０における電子実装面６０Ｊの裏面は、電子部品が実装されていない非電子実装面６０Ｈになっているので、不正な電子部品の交換を確実に防ぐことができる。
【００５９】
［第２実施形態］
本実施形態は図１０〜図１７に示されている。本実施形態は、前記第１実施形態の構成に対し、ケース体６６における封止壁６６Ｆの構成と、カバー体８０における基板係止部８３の構成が主として異なる。以下、第１実施形態の同一の構成に関しては第１実施形態と同一符号を付して重複した説明は両略し、第１実施形態と異なる構成に関してのみ説明する。
【００６０】
図１１に示すように、ケース体６６には、横方向で対向した１対の側壁６８の中間部を切除して、側部開口６８Ｋが形成され、それら側部開口６８Ｋの内部に封止壁６６Ｆがそれぞれ形成されている。図１２に示すように、封止壁６６Ｆは、四角形の封止板部材９０の下端部を優先破断部９０Ｔにて底壁６７に連絡してなり、側部開口６８Ｋの縁部に沿って複数設けられている。その優先破断部９０Ｔは、カバー体８０の切断部８５Ｔより強度が弱くなっている。また、各封止板部材９０には、封止ピン貫通孔９０Ａが貫通形成されている。その封止ピン貫通孔９０Ａは、図１５に示すように、前記第１実施形態の封止ピン貫通孔８５Ａと同様に、軸方向の途中から段付き状に縮径している。
【００６１】
これに対して、本実施形態では、封止壁８０Ｆにおける封止ピン貫通孔８５Ａが均一な内径になっている。また、各角形突部８５の厚さ方向における中間部分には、下面開放のスリット８５Ｎが形成され、その内部に板金製の封止プレート８６が装着されている。その封止プレート８６には、前記第１実施形態の封止プレート６３に備えたピン係止孔６３Ｃと同様のピン係止孔８６Ａが形成されている。また、各角形突部８５のうち側方を向いた端面からは、庇壁８５Ｈが形成されている。図１２に示すように、庇壁８５Ｈは、各角形突部８５の側方領域の上方と両側方を覆った構造なっている。また、図１５に示すように、各庇壁８５Ｈの先端縁からは、ケース体６６側に向かって土手部８５Ｄが突出している。そして、ケース体６６とカバー体８０とを合体させたときには、図１６に示すように、ケース体６６の封止板部材９０が土手部８５Ｄの内側に収まって、各封止板部材９０の封止ピン貫通孔９０Ａと角形突部８５の封止ピン貫通孔８５Ａ及び封止プレート８６のピン係止孔８６Ａが同軸上に配置並ぶようになっている。
【００６２】
図１０に示すように、本実施形態では、基板係止部８３が各角形突部８５に１つずつ対応するように設けられている。そして、各基板係止部８３の先端部が角形突部８５の封止ピン貫通孔８５Ａ（図１５参照）と対向している。
【００６３】
なお、本実施形態のケース体６６における位置決支柱６９は、円柱体の先端寄り位置から支持フランジ６９Ｒを張り出した構造になっており、その支持フランジ６９Ｒに主制御基板６０における基板貫通孔６０Ａの開口縁を当接する（図１５参照）。
【００６４】
上述した本実施形態の構成によれば、図１６（Ａ）に示すように、ケース体６６及びカバー体８０を合体させて封止壁６６Ｆ，８０Ｆが重なり合った状態とし、図１６（Ｂ）に示すように、封止ピン貫通孔８５Ａに封止ピン６５を装着すると、その封止ピン６５の先端が基板係止部８３の先端部に突き合わされ、基板係止部８３の可撓梁部材８３Ｋが主制御基板６０から離れる側に撓むことを禁止する。これにより、基板係止部８３と主制御基板６０との係止力が向上する。
【００６５】
また、ケース体６６及びカバー体８０を分離するときには、図１７（Ａ）に示すように、ケース体６６の封止壁６６Ｆのうち封止ピン６５が装着した封止ピン貫通孔９０Ａを有する封止板部材９０を優先破断部９０Ｔを破断することによりケース体６６から切り離す。すると、封止ピン６５がカバー体８０に残され、その封止ピン６５の先端が可撓梁部材８３Ｋに側方から突き合わせた状態が維持される。従って、この状態では、封止ピン６５が突き合わされた基板係止部８３と主制御基板６０との係止を解除することができない。そこで、封止ピン６５が突き合わされた基板係止部８３と主制御基板６０との係止を解除するには、図１７（Ｂ）に示すように、封止ピン６５が装着された角形突部８５の切断部８５Ｔを切断する必要がある。その切断部８５Ｔを切断すると、可撓梁部材８３Ｋの弾性変形が可能になり、主制御基板６０をカバー体８０から離脱することが可能になる。以上の構成から、不正などを目的として切断部８５Ｔを切断して、主制御基板６０をカバー体８０から取り外し、主制御基板６０に実装された電子部品を交換するなどの行為を行ったとしても、切断部８５Ｔが切断されていることを発見することが可能であり、結果、不正されたか否かを確認することが可能である。
【００６６】
このように本実施形態の構成によれば、第１実施形態の構成より更に、電子実装面６０Ｊ上の電子部品を交換するために手間と時間を要し、主制御基板６０に実装された電子部品の不正な交換を抑制することができる。
【００６７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６８】
（１）前記第１及び第２実施形態では、パチンコ遊技機に本発明を適用していたが、遊技機であれば、コイン遊技機やスロットマシン、アレンジボール等に備えてもよい。
【００６９】
（２）前記第１及び第２実施形態においては、主制御基板６０の裏面側を電子部品が備えられていない非電子実装面６０Ｈとしたが、遊技の制御に重要な影響を与えないもの（例えば、コンデンサ等）であれば裏面側に配設してもよい。
【００７０】
（３）前記第１実施形態においては、複数の基板係止部８３が全て弾性変形可能であったが、一部の基板係止部８３が弾性変形しない構成にしてもよい。
【００７１】
（４）前記第２実施例においては、優先切断部９０Ｔ、切断部８５Ｔを切断して、封止ピン６５が装着された封止板部材９０及び角形突部８５の切断部８５Ｔを切り外すため隙間が生じる。この隙間から不正目的でピアノ線などの異物を挿入されるのを阻止するために防護壁を設けてもよい。
【００７２】
（５）封止ピン６５や封止壁６６Ｆ，８０Ｆなどの封止手段は、本実施例に限るものではなく、本願発明を満たすものであればどのような構成でもよく、例えば、ワンウェイネジの使用などでもよい。
【００７３】
（６）前記第１及び第２実施形態では主制御基板６０は基板最恥部６６Ｓに位置決支柱６９により位置決めして載置しているだけの構成であるが、例えば、基板載置部６６Ｓに主制御基板６０を載置した際に、主制御基板６０を一旦仮固定して、ケース体６６から外れないようにする仮固定部を設けても良い。その際、ケース体６６とカバー体８０を組み付けて、再度取り外す際には、仮固定部により主制御基板６０を仮固定する力よりも基板係止部８３により係止して保持される力が大きい方が、本願発明の作用を満たすため、好ましい。
【符号の説明】
【００７４】
１０    パチンコ遊技機
５０    主制御装置
６０    主制御基板
６０Ｈ    非電子実装面
６０Ｊ    電子実装面
６１Ａ    ワンチップマイコン（電子部品）
６２    基板収容ケース
６５    封止ピン（封止部材）
６６    ケース体（ケース構成体）
６６Ｆ，８０Ｆ    封止壁
６６Ｓ    基板載置部
６７    底壁
６８Ｕ    ピン組付孔
８０    カバー体（ケース構成体）
８１    基板保護壁
８３    基板係止部
８３Ａ    摺接斜面
８３Ｂ    係止面
８３Ｃ    係止突起
８３Ｋ    可撓梁部材
８５Ｔ    切断部
９０Ｔ    優先破断部
【図１】
2010094545.tif 000003
【図２】
2010094545.tif 000004
【図３】
2010094545.tif 000005
【図４】
2010094545.tif 000006
【図５】
2010094545.tif 000007
【図６】
2010094545.tif 000008
【図７】
2010094545.tif 000009
【図８】
2010094545.tif 000010
【図９】
2010094545.tif 000011
【図１０】
2010094545.tif 000012
【図１１】
2010094545.tif 000013
【図１２】
2010094545.tif 000014
【図１３】
2010094545.tif 000015
【図１４】
2010094545.tif 000016
【図１５】
2010094545.tif 000017
【図１６】
2010094545.tif 000018
【図１７】
2010094545.tif 000019
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
遊技に関する制御を行う制御基板を収納可能な、１対のケース構成体を合体してなる基板収容ケースを備えた遊技機において、
前記制御基板には、表側に遊技の制御用データを記憶した電子部品が実装された電子実装面が設けられる一方、裏側に遊技の制御用データを記憶した電子部品が実装されていない非電子実装面が設けられ、
前記１対のケース構成体のうち一方の前記ケース構成体には、他方の前記ケース構成体との合体前に、前記制御基板を載置可能でかつ前記制御基板の前記非電子実装面と対向する基板載置部が設けられ、
前記他方の前記ケース構成体には、前記制御基板の前記電子実装面と対向する基板保護壁と前記制御基板を係止可能な基板係止部とが設けられ、
前記１対のケース構成体が合体すると同時に、前記基板保護壁により前記制御基板の前記電子実装面を覆うと共に前記基板載置部に載置された前記制御基板が前記基板係止部に係止される一方、
一旦合体した前記１対のケース構成体を分離した際に、前記制御基板は前記基板係止部の係止により前記他方のケース構成体に保持された状態で前記基板載置部から離脱することを特徴とする遊技機。
【請求項２】
前記１対のケース構成体のうち一方の前記ケース構成体には、他方の前記ケース構成体に係止して前記１対のケース構成体同士を合体状態に保持するケース係止部が形成され、
前記ケース係止部の係止と前記基板係止部の係止とが、前記１対のケース構成体の合体と同時に行われるようにしたことを特徴とする請求項１に記載の遊技機。
【請求項３】
前記基板係止部は、前記両ケース構成体の合体方向と略直交する方向に弾性変形可能な可撓梁部材に係止突起を形成してなり、
前記係止突起には、前記両ケース構成体を合体する過程で、前記制御基板の縁部に摺接可能な摺接斜面と、前記両ケース構成体の合体完了時に前記制御基板の縁部に係止する係止面とが備えられ、
前記ケース係止部は、前記両ケース構成体の合体方向と略直交する方向に弾性変形可能な片持梁片に係止突部を形成してなり、
前記係止突部には、前記両ケース構成体を合体する過程で、前記他方のケース構成体の縁部に摺接可能な摺接斜面と、前記両ケース構成体の合体完了時に前記他方のケース構成体の縁部に係止する係止面とが備えられたことを特徴とする請求項２に記載の遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、遊技に関する制御を行う制御基板を収納可能な、１対のケース構成体を合体してなる基板収容ケースを備えた遊技機において、制御基板には、表側に遊技の制御用データを記憶した電子部品が実装された電子実装面が設けられる一方、裏側に遊技の制御用データを記憶した電子部品が実装されていない非電子実装面が設けられ、１対のケース構成体のうち一方のケース構成体には、他方のケース構成体との合体前に、制御基板を載置可能でかつ制御基板の非電子実装面と対向する基板載置部が設けられ、他方のケース構成体には、制御基板の電子実装面と対向する基板保護壁と制御基板を係止可能な基板係止部とが設けられ、１対のケース構成体が合体すると同時に、基板保護壁により制御基板の電子実装面を覆うと共に基板載置部に載置された制御基板が基板係止部に係止される一方、一旦合体した１対のケース構成体を分離した際に、制御基板は基板係止部の係止により他方のケース構成体に保持された状態で基板載置部から離脱するところに特徴を有する。
【手続補正３】
【補正対象書類名】明細書
【補正対象項目名】０００７
【補正方法】変更
【補正の内容】
【０００７】
請求項２の発明は、請求項１に記載の遊技機において、１対のケース構成体のうち一方のケース構成体には、他方のケース構成体に係止して１対のケース構成体同士を合体状態に保持するケース係止部が形成され、ケース係止部の係止と基板係止部の係止とが、１対のケース構成体の合体と同時に行われるようにしたところに特徴を有する。
【手続補正４】
【補正対象書類名】明細書
【補正対象項目名】０００８
【補正方法】変更
【補正の内容】
【０００８】
請求項３の発明は、請求項２に記載の遊技機において、基板係止部は、両ケース構成体の合体方向と略直交する方向に弾性変形可能な可撓梁部材に係止突起を形成してなり、係止突起には、両ケース構成体を合体する過程で、制御基板の縁部に摺接可能な摺接斜面と、両ケース構成体の合体完了時に制御基板の縁部に係止する係止面とが備えられ、ケース係止部は、両ケース構成体の合体方向と略直交する方向に弾性変形可能な片持梁片に係止突部を形成してなり、係止突部には、両ケース構成体を合体する過程で、他方のケース構成体の縁部に摺接可能な摺接斜面と、両ケース構成体の合体完了時に他方のケース構成体の縁部に係止する係止面とが備えられたところに特徴を有する。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
［請求項１の発明］
請求項１の遊技機に備えた基板収容ケースは、１対のケース構成体を合体してなる。そして、基板収容ケースに制御基板を収納するには、分離された状態にある１対のケース構成体のうち一方のケース構成体に備えた基板載置部に制御基板を載置する。このとき、制御基板のうち遊技の制御用データを記憶した電子部品が実装されていない非電子実装面を基板載置部に対向配置する。そして、他方のケース構成体を一方のケース構成体に合体させる。すると、他方のケース構成体に備えた基板保護壁が制御基板の電子実装面に対向配置されると共に、他方のケース構成体に備えた基板係止部に制御基板が係止する。これにより、両ケース構成体を分離した際には、制御基板は基板係止部の係止により他方のケース構成体に保持されかつ基板保護壁にて制御基板の電子実装面が覆われた状態が維持される。従って、電子実装面上の電子部品を交換するためには、両ケース構成体を分離した後で、さらに、制御基板と基板係止部との係止を解除する必要があり、電子実装面上の電子部品の交換に手間等を要する。これにより、不正などの目的で基板収容ケース内における制御基板に実装された電子部品を交換する等の行為を抑制することができる。
【手続補正９】
【補正対象書類名】明細書
【補正対象項目名】００１３
【補正方法】変更
【補正の内容】
【００１３】
［請求項２の発明］
請求項２の構成では、１対のケース構成体同士を合体と、それらケース構成体同士を合体状態に保持するケース係止部の係止と、制御基板をケース構成体に係止する基板係止部の係止とが同時に行われるので、作業性に優れる。
【手続補正１０】
【補正対象書類名】明細書
【補正対象項目名】００１４
【補正方法】変更
【補正の内容】
【００１４】
［請求項３の発明］
請求項３の構成では、基板係止部が、両ケース構成体の合体方向と略直交する方向に弾性変形可能な可撓梁部材に係止突起を形成してなる。そして、両ケース構成体を合体する過程で、係止突起に備えた摺接斜面が制御基板の縁部に摺接して可撓梁部材が撓み、両ケース構成体の合体完了時に係止突起が制御基板の縁部を乗り越えて可撓梁部材が復元し、係止突起の係止面が制御基板の縁部に係止する。この基板係止部と同様に、ケース係止部は、両ケース構成体の合体方向と略直交する方向に弾性変形可能な片持梁片に係止突部を形成してなる。そして、両ケース構成体を合体する過程で、係止突部に備えた摺接斜面が他方のケース構成体の縁部に摺接して片持梁片が撓み、両ケース構成体の合体完了時に係止突部が他方のケース構成体の縁部を乗り越えて片持梁片が復元し、係止突部の係止面が他方のケース構成体の縁部に係止する。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００３８
【補正方法】変更
【補正の内容】
【００３８】
図４に示すように、ケース体６６のうち縦方向（ケース体６６の平面形状における短手方向）で対向した１対の側壁６８，６８の両端部には、係止爪７０（本発明に係る「ケース係止部」に相当する）がそれぞれ形成されている。各係止爪７０は、図５に示すように、側壁６８に互いに平行な１対のスリット７０Ｓ，７０Ｓを形成し、それらスリット７０Ｓ，７０Ｓの間に設けられた片持梁片７０Ｈの先端寄り位置の内面に、係止突部７０Ａを突出形成してなる。なお、片持梁片７０Ｈは、側壁６８の全体より図５の上方に突出している。係止突部７０Ａは、片持梁片７０Ｈの先端側に傾斜面を備えた矢尻形状になっている。
【手続補正１５】
【補正対象書類名】明細書
【補正対象項目名】００４０
【補正方法】変更
【補正の内容】
【００４０】
主制御基板６０を側壁６８に載置した状態で、ケース体６６おける横方向（ケース体６６の平面形状における長手方向）で対向した１対の側壁６８，６８の内面と主制御基板６０の外縁部との間に挟まれた部分には、封止壁６６Ｆ，６６Ｆがそれぞれ設けられている。各封止壁６６Ｆは、底壁６７から起立して互いに隣接した１対の対向起立壁７１，７２とからなる。一方の対向起立壁７１は、底壁６７の縦方向における中央部に配置されて縦方向に延び、側壁６８の内面の一部に対向している。また、その対向起立壁７１全体は、側壁６８より高くなっており、対向起立壁７１の両端部に側壁６８より低い封止補助壁７１Ｈ，７１Ｈが一体形成されている。そして、対向起立壁７１の基端寄り位置には、複数（例えば、４つ）の封止ピン貫通孔７１Ａが横並びに形成されている。他方の対向起立壁７２（以下、適宜、「後側の対向起立壁７２」という）は、一方の対向起立壁７１（以下、適宜、「前側の対向起立壁７１」という）より僅か短い長さをなして底壁６７の縦方向に延びかつ前側の封止補助壁７１Ｈと略同一の高さになっている。また、後側の対向起立壁７２には、前側の対向起立壁７１の各封止ピン貫通孔７１Ａと同軸上にそれぞれ封止ピン貫通孔７２Ａが貫通形成されている（図４における右側の封止壁６６Ｆ参照）。
【手続補正１６】
【補正対象書類名】明細書
【補正対象項目名】００４６
【補正方法】変更
【補正の内容】
【００４６】
上記した複数の角形突部８５は、それぞれ対向起立壁７１の封止ピン貫通孔７１Ａに対応して配置されており、その角形突部８５には封止ピン貫通孔７１Ａと同軸上に封止ピン貫通孔８５Ａが貫通成形されている。その封止ピン貫通孔８５Ａの内径は、図８に示すように、軸方向の途中部分で段付き状に縮径されて、対向起立壁７１側の内径が小さくなっている。また、封止ピン貫通孔８５Ａには、封止栓６４又は封止ピン６５が挿入可能となっている。
【手続補正１７】
【補正対象書類名】明細書
【補正対象項目名】００７４
【補正方法】変更
【補正の内容】
【００７４】
１０    パチンコ遊技機
５０    主制御装置
６０    主制御基板
６０Ｈ    非電子実装面
６０Ｊ    電子実装面
６１Ａ    ワンチップマイコン（電子部品）
６２    基板収容ケース
６５    封止ピン
６６    ケース体（ケース構成体）
６６Ｆ，８０Ｆ    封止壁
６６Ｓ    基板載置部
６７    底壁
６８Ｕ    ピン組付孔
７０    係止爪（ケース係止部）
８０    カバー体（ケース構成体）
８１    基板保護壁
８３    基板係止部
８３Ａ    摺接斜面
８３Ｂ    係止面
８３Ｃ    係止突起
８３Ｋ    可撓梁部材
８５Ｔ    切断部
９０Ｔ    優先破断部